(57)【要約】【課題】被検眼の瞬きの発生や固視ずれ等を簡素な処理で判定するための新たな技術を提供する。【解決手段】眼科装置は、取得部と、判定部と、を含む。取得部は、被検眼に対して光コヒーレンストモグラフィを実行することにより被検眼のデータを取得する。判定部は、取得部により取得されたデータに基づいて被検眼の瞬きの発生又は固視ずれの有無を判定する。【選択図】図１
2020103440.tif 000002
【特許請求の範囲】
【請求項１】
被検眼に対して光コヒーレンストモグラフィを実行することにより前記被検眼のデータを取得する取得部と、
前記取得部により取得されたデータに基づいて被検眼の瞬きの発生又は固視ずれの有無を判定する判定部と、
を含む、眼科装置。
【請求項２】
前記取得部は、
光スキャナーを含み、光源からの光を参照光と測定光とに分割し、前記光スキャナーにより偏向された前記測定光を前記被検眼に照射し、前記参照光と前記測定光の戻り光との干渉光を検出する干渉光学系を含み、
前記判定部は、前記干渉光の検出結果に基づく前記測定光によるスキャン方向の輝度プロファイルに基づいて前記被検眼の瞬きの発生又は固視ずれの有無を判定する
ことを特徴とする請求項１に記載の眼科装置。
【請求項３】
前記スキャン方向に交差する積算方向に前記輝度プロファイルを積算することにより積算プロファイルを生成するプロファイルデータ生成部を含み、
前記判定部は、前記積算プロファイルに基づいて前記被検眼の瞬きの発生又は固視ずれの有無を判定する
ことを特徴とする請求項２に記載の眼科装置。
【請求項４】
前記プロファイルデータ生成部により生成された前記積算プロファイルの勾配を算出する勾配算出部を含み、
前記判定部は、前記勾配算出部により算出された前記勾配に基づいて前記被検眼の瞬きの発生又は固視ずれの有無を判定する
ことを特徴とする請求項３に記載の眼科装置。
【請求項５】
前記勾配算出部は、前記スキャン方向の複数の位置のそれぞれにおいて勾配を算出し、
前記判定部は、前記勾配算出部により算出された複数の勾配の統計値に基づいて前記被検眼の瞬きの発生又は固視ずれの有無を判定する
ことを特徴とする請求項４に記載の眼科装置。
【請求項６】
前記判定部により前記被検眼の瞬きの発生又は固視ずれがあったと判定されたとき、前記取得部を制御することにより前記被検眼のデータの再取得を実行させる制御部を含む
ことを特徴とする請求項１〜請求項５のいずれか一項に記載の眼科装置。
【請求項７】
被検眼に対して光コヒーレンストモグラフィを実行することにより前記被検眼のデータを取得する取得ステップと、
前記取得ステップにおいて取得されたデータに基づいて前記被検眼の瞬きの発生又は固視ずれの有無を判定する判定ステップと、
を含む、眼科装置の制御方法。
【請求項８】
前記取得ステップは、光源からの光を参照光と測定光とに分割し、光スキャナーにより偏向された前記測定光を前記被検眼に照射し、前記参照光と前記測定光の戻り光との干渉光を検出することにより前記被検眼のデータを取得し、
前記判定ステップは、前記干渉光の検出結果に基づく前記測定光によるスキャン方向の輝度プロファイルに基づいて前記被検眼の瞬きの発生又は固視ずれの有無を判定する
ことを特徴とする請求項７に記載の眼科装置の制御方法。
【請求項９】
前記スキャン方向に交差する積算方向に前記輝度プロファイルを積算することにより積算プロファイルを生成するプロファイルデータ生成ステップを含み、
前記判定ステップは、前記積算プロファイルに基づいて前記被検眼の瞬きの発生又は固視ずれの有無を判定する
ことを特徴とする請求項８に記載の眼科装置の制御方法。
【請求項１０】
前記プロファイルデータ生成ステップにおいて生成された前記積算プロファイルの勾配を算出する勾配算出ステップを含み、
前記判定ステップは、前記勾配算出ステップにおいて算出された前記勾配に基づいて前記被検眼の瞬きの発生又は固視ずれの有無を判定する
ことを特徴とする請求項９に記載の眼科装置の制御方法。
【請求項１１】
前記勾配算出ステップは、前記スキャン方向の複数の位置のそれぞれにおいて勾配を算出し、
前記判定ステップは、前記勾配算出ステップにおいて算出された複数の勾配の統計値に基づいて前記被検眼の瞬きの発生又は固視ずれの有無を判定する
ことを特徴とする請求項１０に記載の眼科装置の制御方法。
【請求項１２】
前記判定ステップにおいて前記被検眼の瞬きの発生又は固視ずれがあったと判定されたとき、前記被検眼に光コヒーレンストモグラフィを再実行させることにより前記被検眼の新たなデータを取得させる制御ステップを含む
ことを特徴とする請求項７〜請求項１１のいずれか一項に記載の眼科装置の制御方法。
【請求項１３】
コンピュータに、請求項７〜請求項１２のいずれか一項に記載の眼科装置の制御方法の各ステップを実行させることを特徴とするプログラム。
【発明の詳細な説明】
【技術分野】
【０００１】
この発明は、眼科装置、眼科装置の制御方法、及びプログラムに関する。
【背景技術】
【０００２】
近年、レーザー光源等からの光ビームを用いて被測定物体の形態を測定したり画像化したりする光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。例えば、眼科分野においては、眼底や角膜等の画像を形成する装置が実用化されている。このようなＯＣＴを用いた装置（ＯＣＴ装置）は被検眼の様々な部位（眼底や前眼部）の観察に適用可能である。また、高精細な画像を取得できることから、様々な眼科疾患の診断に応用されている。
【０００３】
このようなＯＣＴ装置を用いた計測において、計測時間が長い場合や装置の操作者の技量が未熟である場合、被検眼の瞬きの発生や固視ずれ等の可能性が高くなる。これらの場合、再計測を実施する必要が生じ、作業効率が低下する。
【０００４】
被検眼の瞬きの発生等を検出する場合、被検眼の前眼部を観察するための前眼部観察系を用いることが考えられる。ところが、装置光学系の構成の複雑化を招く。従って、前眼部観察系を用いることなく被検眼の瞬きの発生等の有無を判定することが望ましい。
【０００５】
例えば、特許文献１には、被検眼の断層像のボリュームデータの連続性を判定し、表示部に表示された判定結果を参照した操作者からの指示で再撮影を行うことが可能な装置が開示されている。
【先行技術文献】
【特許文献】
【０００６】
【特許文献１】特開２０１０−１１０６５６号公報
【発明の概要】
【発明が解決しようとする課題】
【０００７】
しかしながら、従来の手法では、血管を検出することにより断層像のボリュームデータの連続性を判定するため、処理負荷が重くなり、より簡素な処理で被検眼の瞬きの発生等を検出（判定）することが求められている。
【０００８】
本発明は、このような事情を鑑みてなされたものであり、その目的は、瞬きの発生や固視ずれ等を簡素な処理で判定するための新たな技術を提供することにある。
【課題を解決するための手段】
【０００９】
いくつかの実施形態に係る第１態様は、被検眼に対して光コヒーレンストモグラフィを実行することにより前記被検眼のデータを取得する取得部と、前記取得部により取得されたデータに基づいて被検眼の瞬きの発生又は固視ずれの有無を判定する判定部と、を含む、眼科装置である。
【００１０】
いくつかの実施形態に係る第２態様では、第１態様において、前記取得部は、光スキャナーを含み、光源からの光を参照光と測定光とに分割し、前記光スキャナーにより偏向された前記測定光を前記被検眼に照射し、前記参照光と前記測定光の戻り光との干渉光を検出する干渉光学系を含み、前記判定部は、前記干渉光の検出結果に基づく前記測定光によるスキャン方向の輝度プロファイルに基づいて前記被検眼の瞬きの発生又は固視ずれの有無を判定する。
【００１１】
いくつかの実施形態に係る第３態様は、第２態様において、前記スキャン方向に交差する積算方向に前記輝度プロファイルを積算することにより積算プロファイルを生成するプロファイルデータ生成部を含み、前記判定部は、前記積算プロファイルに基づいて前記被検眼の瞬きの発生又は固視ずれの有無を判定する。
【００１２】
いくつかの実施形態に係る第４態様は、第３態様において、前記プロファイルデータ生成部により生成された前記積算プロファイルの勾配を算出する勾配算出部を含み、前記判定部は、前記勾配算出部により算出された前記勾配に基づいて前記被検眼の瞬きの発生又は固視ずれの有無を判定する。
【００１３】
いくつかの実施形態に係る第５態様は、第４態様において、前記勾配算出部は、前記スキャン方向の複数の位置のそれぞれにおいて勾配を算出し、前記判定部は、前記勾配算出部により算出された複数の勾配の統計値に基づいて前記被検眼の瞬きの発生又は固視ずれの有無を判定する。
【００１４】
いくつかの実施形態に係る第６態様は、第１態様〜第５態様のいずれかにおいて、前記判定部により前記被検眼の瞬きの発生又は固視ずれがあったと判定されたとき、前記取得部を制御することにより前記被検眼のデータの再取得を実行させる制御部を含む。
【００１５】
いくつかの実施形態に係る第７態様は、被検眼に対して光コヒーレンストモグラフィを実行することにより前記被検眼のデータを取得する取得ステップと、前記取得ステップにおいて取得されたデータに基づいて前記被検眼の瞬きの発生又は固視ずれの有無を判定する判定ステップと、を含む、眼科装置の制御方法である。
【００１６】
いくつかの実施形態に係る第８態様では、第７態様において、前記取得ステップは、光源からの光を参照光と測定光とに分割し、光スキャナーにより偏向された前記測定光を前記被検眼に照射し、前記参照光と前記測定光の戻り光との干渉光を検出することにより前記被検眼のデータを取得し、前記判定ステップは、前記干渉光の検出結果に基づく前記測定光によるスキャン方向の輝度プロファイルに基づいて前記被検眼の瞬きの発生又は固視ずれの有無を判定する。
【００１７】
いくつかの実施形態に係る第９態様は、第８態様において、前記スキャン方向に交差する積算方向に前記輝度プロファイルを積算することにより積算プロファイルを生成するプロファイルデータ生成ステップを含み、前記判定ステップは、前記積算プロファイルに基づいて前記被検眼の瞬きの発生又は固視ずれの有無を判定する。
【００１８】
いくつかの実施形態に係る第１０態様は、第９態様において、前記プロファイルデータ生成ステップにおいて生成された前記積算プロファイルの勾配を算出する勾配算出ステップを含み、前記判定ステップは、前記勾配算出ステップにおいて算出された前記勾配に基づいて前記被検眼の瞬きの発生又は固視ずれの有無を判定する。
【００１９】
いくつかの実施形態に係る第１１態様では、第１０態様において、前記勾配算出ステップは、前記スキャン方向の複数の位置のそれぞれにおいて勾配を算出し、前記判定ステップは、前記勾配算出ステップにおいて算出された複数の勾配の統計値に基づいて前記被検眼の瞬きの発生又は固視ずれの有無を判定する。
【００２０】
いくつかの実施形態に係る第１２態様は、第７態様〜第１１態様のいずれかにおいて、前記判定ステップにおいて前記被検眼の瞬きの発生又は固視ずれがあったと判定されたとき、前記被検眼に光コヒーレンストモグラフィを再実行させることにより前記被検眼の新たなデータを取得させる制御ステップを含む。
【００２１】
いくつかの実施形態に係る第１３態様は、コンピュータに、第７態様〜第１２態様のいずれかに記載の眼科装置の制御方法の各ステップを実行させるプログラムである。
【００２２】
なお、上記した複数の態様に係る構成を任意に組み合わせることが可能である。
【発明の効果】
【００２３】
本発明によれば、瞬きの発生や固視ずれ等を簡素な処理で判定するための新たな技術を提供することができる。
【図面の簡単な説明】
【００２４】
【図１】実施形態に係る眼科装置の構成の一例を表す概略図である。
【図２】実施形態に係る眼科装置の構成の一例を表す概略図である。
【図３】実施形態に係る眼科装置の構成の一例を表す概略図である。
【図４】実施形態に係る眼科装置の動作を説明するための概略図である。
【図５】実施形態に係る眼科装置の動作を説明するための概略図である。
【図６】実施形態に係る眼科撮影装置の動作例を表すフローチャートである。
【発明を実施するための形態】
【００２５】
この発明に係る眼科装置、眼科装置の制御方法、及びプログラムの実施形態の例について、図面を参照しながら詳細に説明する。なお、この明細書において引用された文献の記載内容や任意の公知技術を、以下の実施形態に援用することが可能である。
【００２６】
実施形態に係る眼科装置は、被検眼に対して光コヒーレンストモグラフィ（ＯＣＴ）を実行することにより被検眼のデータ（ＯＣＴデータ）を取得し、取得されたデータに基づいてデータを取得した時点での被検眼の瞬きの発生又は固視ずれの有無を判定する。これにより、ＯＣＴを実行して被検眼のデータを取得した直後に、取得されたデータに対する解析（診断）の適否を判定して再撮影（再計測）の要否を判断することが可能になるため、解析に適したデータ（画像）を効率的に取得することができるようになる。
【００２７】
実施形態に係る眼科装置の制御方法は、実施形態に係る眼科装置においてプロセッサ（コンピュータ）により実行される処理を実現するための１以上のステップを含む。実施形態に係るプログラムは、プロセッサに実施形態に係る眼科装置の制御方法の各ステップを実行させる。
【００２８】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００２９】
実施形態に係る眼科装置には、眼科撮影装置と眼科測定装置とが含まれる。眼科撮影装置としては、光干渉断層計、眼底カメラ、走査型レーザー検眼鏡（Ｓｃａｎｎｉｎｇ  Ｌａｓｅｒ  Ｏｐｈｔｈａｌｍｏｓｃｏｐｅ：ＳＬＯ）、スリットランプなどがある。また、眼科測定装置としては、眼屈折検査装置、眼圧計、スペキュラーマイクロスコープ、ウェーブフロントアナライザなどがある。以下の実施形態では、光干渉断層計にこの発明を適用した場合について説明するが、光干渉断層計とそれ以外の任意の装置の機能とを組み合わせた眼科装置にこの発明を適用することが可能である。
【００３０】
この明細書において、ＯＣＴによって取得される画像をＯＣＴ画像と総称することがある。また、ＯＣＴ画像を形成するための計測動作をＯＣＴ計測と呼ぶことがある。
【００３１】
また、以下の実施形態では、スウェプトソース（Ｓｗｅｐｔ  Ｓｏｕｒｃｅ）タイプのＯＣＴを用いた光干渉断層計について説明する。しかしながら、スウェプトソース以外のタイプ、例えば低コヒーレンス光源と分光器が搭載された、いわゆるスペクトラルドメイン（Ｓｐｅｃｔｒａｌ  Ｄｏｍａｉｎ）タイプ、ｅｎ−ｆａｃｅタイプのＯＣＴの手法を用いた光干渉断層計に対してこの発明を適用することも可能である。なお、スペクトラルドメインＯＣＴとは、低コヒーレンス光源からの光を測定光と参照光とに分割し、被検物からの測定光の戻り光を参照光と干渉させて干渉光を生成し、この干渉光のスペクトル分布を分光器で検出し、検出されたスペクトル分布にフーリエ変換等を施して画像を形成する手法である。また、ｅｎ−ｆａｃｅタイプのＯＣＴとは、所定のビーム径を有する光を被測定物体に照射し、その反射光と参照光とを重ね合わせて得られる干渉光の成分を解析することにより、光の進行方向に直交する断面における被測定物体の画像を形成する手法であり、フルフィールド（ｆｕｌｌ−ｆｉｅｌｄ）タイプとも呼ばれる。
【００３２】
実施形態に係る眼科装置は、光学系の所定の位置に前置レンズ等の光学素子を挿入することにより、眼底計測用から前眼部計測用に用途を切り替えることができる。計測対象部位は眼底及び前眼部に限定されるものではなく、例えば硝子体や水晶体など、被検眼の任意の部位であってよい。更に、計測対象部位に応じた光学素子をそれぞれ用意しておき、これらを選択的に眼科装置に適用することも可能である。前置レンズ等の光学素子の使用／不使用の選択及び／または適用される光学素子の選択を自動で行うように構成することも可能である。これら選択処理は、例えば、過去に実施された撮影内容、傷病名などに基づいて行われる。
【００３３】
以下では、装置光学系の光軸方向をｚ方向（前後方向）とし、装置光学系の光軸に直交する水平方向をｘ方向（左右方向）とし、装置光学系の光軸に直交する垂直方向をｙ方向（上下方向）とする。
【００３４】
［構成］
図１及び図２に、実施形態に係る眼科装置の構成例に示す。実施形態に係る眼科装置１は、被検眼Ｅに対してＯＣＴを実行することにより被検眼Ｅのデータを取得する機能、つまり被検眼Ｅを撮影する機能及び／又は被検眼Ｅの特性を測定する機能を備える。
【００３５】
眼科装置１は、光学系１０と、プロセッサ５０と、顔支持部７０と、第１駆動機構８０Ａと、第２駆動機構８０Ｂと、ユーザインターフェイス（Ｕｓｅｒ  Ｉｎｔｅｒｆａｃｅ：ＵＩ）部９０とを含む。なお、第１駆動機構８０Ａ及び第２駆動機構８０Ｂの一方のみが設けられた構成であってもよい。
【００３６】
光学系１０には、干渉光学系２０と、光スキャナー３０と、合焦レンズ３１と、対物レンズ４０と、前置レンズ４１とが設けられている。合焦レンズ３１は、干渉光学系２０の光軸方向に移動可能に構成されている。いくつかの実施形態は、干渉光学系２０は、光スキャナー３０及び合焦レンズ３１を含む。前置レンズ４１は、被検眼Ｅと対物レンズ４０との間で挿脱可能に構成されている。
【００３７】
（光学系１０）
光学系１０には、図１に示す構成に加え、被検眼Ｅを正面から撮影するための光学系（観察光学系、撮影光学系等）やアライメント光学系が設けられてもよい。また、干渉光学系２０のフォーカシングを行うための構成などが設けられていてもよい。更に、光学系１０は、被検眼Ｅの前眼部を照明するための光源（前眼部照明光源）を備えてもよい。
【００３８】
（干渉光学系２０）
干渉光学系２０には、被検眼Ｅの眼底Ｅｆ又は前眼部のＯＣＴ画像を取得するための光学系が設けられている。この光学系は、従来のスウェプトソースタイプのＯＣＴ装置と同様の構成を有する。すなわち、この光学系は、図２に示すように、波長掃引光源からの光を参照光ＬＲと測定光ＬＳに分割し、眼底又は前眼部を経由した測定光ＬＳと参照光路を経由した参照光ＬＲとを干渉させて干渉光ＬＣを生成し、この干渉光ＬＣのスペクトル強度分布を検出するように構成されている。この検出結果（検出信号）はプロセッサ５０に送られる。
【００３９】
光源ユニット１０１は、一般的なスウェプトソースタイプの眼科装置と同様に、出射光の波長を掃引（走査）可能な波長掃引型（波長走査型）光源を含んで構成される。波長掃引型光源は、共振器を含むレーザー光源を含んで構成される。光源ユニット１０１は、人眼では視認できない近赤外の波長帯において、出力波長を時間的に変化させる。
【００４０】
光源ユニット１０１から出力された光Ｌ０は、光ファイバ１０２により偏波コントローラ１０３に導かれてその偏光状態が調整される。偏波コントローラ１０３は、例えばループ状にされた光ファイバ１０２に対して外部から応力を与えることで、光ファイバ１０２内を導かれる光Ｌ０の偏光状態を調整する。
【００４１】
偏波コントローラ１０３により偏光状態が調整された光Ｌ０は、光ファイバ１０４によりファイバカプラ１０５に導かれて測定光ＬＳと参照光ＬＲとに分割される。
【００４２】
参照光ＬＲは、光ファイバ１１０によりコリメータ１１１に導かれて平行光束に変換され、光路長補正部材１１２及び分散補償部材１１３を経由し、光路長変更部１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。光路長変更部１１４は、例えば、コーナーキューブと、コーナーキューブを移動する移動機構とを含み、移動機構によるコーナーキューブを参照光ＬＲの入射方向に移動可能である。それにより参照光ＬＲの光路長が変更される。
【００４３】
光路長変更部１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９によりアッテネータ１２０に導かれて光量が調整され、光ファイバ１２１によりファイバカプラ１２２に導かれる。
【００４４】
一方、ファイバカプラ１０５により生成された測定光ＬＳは、光ファイバ１２７により導かれてコリメータレンズユニット１２８により平行光束に変換され、光スキャナー３０、及び合焦レンズ３１を経由する。合焦レンズ３１を経由した測定光ＬＳは、対物レンズ４０（前置レンズ４１）により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバカプラ１０５に導かれ、光ファイバ１２９を経由してファイバカプラ１２２に到達する。
【００４５】
ファイバカプラ１２２は、光ファイバ１２９を介して入射された測定光ＬＳと、光ファイバ１２１を介して入射された参照光ＬＲとを合成して（干渉させて）干渉光を生成する。ファイバカプラ１２２は、所定の分岐比（例えば１：１）で干渉光を分岐することにより、一対の干渉光ＬＣを生成する。一対の干渉光ＬＣは、それぞれ光ファイバ１２３及び１２４を通じて検出器１２５に導かれる。
【００４６】
検出器１２５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（干渉信号）をＤＡＱ（Ｄａｔａ  Ａｃｑｕｉｓｉｔｉｏｎ  Ｓｙｓｔｅｍ）１３０に送る。ＤＡＱ１３０には、光源ユニット１０１からクロックＫＣが供給される。クロックＫＣは、光源ユニット１０１において、波長掃引型光源により所定の波長範囲内で掃引（走査）される各波長の出力タイミングに同期して生成される。光源ユニット１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、クロックＫＣに基づき、検出器１２５の検出結果をサンプリングする。ＤＡＱ１３０は、サンプリングされた検出器１２５の検出結果をプロセッサ５０に送る。プロセッサ５０は、例えば一連の波長走査毎に（Ａライン毎に）、検出器１２５により得られた検出結果に基づくスペクトル分布にフーリエ変換等を施すことにより、各Ａラインにおける反射強度プロファイルを形成する。更に、プロセッサ５０は、各Ａラインの反射強度プロファイルを画像化することにより画像データを形成する。
【００４７】
なお、この光学系がスペクトラルドメインタイプのＯＣＴ装置と同様の構成を有する場合には、波長掃引光源の代わりに低コヒーレンス光源を出力する光源が設けられるとともに、干渉光をスペクトル分解する光学部材が設けられる。一般に、干渉光学系２０の構成については、ＯＣＴのタイプに応じた公知の技術を任意に適用することができる。
【００４８】
光学系１０は、検査に付随する機能を提供するための構成を備えていてよい。例えば、被検眼Ｅを固視させるための視標（固視標）を被検眼Ｅの眼底に投影するための固視光学系が設けられていてよい。
【００４９】
（光スキャナー３０）
光スキャナー３０は、測定光ＬＳの進行方向を変更する。光スキャナー３０は、プロセッサ５０（制御部５１）からの制御を受け、所定のスキャンパターンに従って、測定光ＬＳの進行方向に直交する方向（広義には、交差する方向）に測定光を偏向する。それにより、眼底Ｅｆ又は前眼部における所望の部位をスキャンパターンに従って測定光ＬＳでスキャンすることができる。光スキャナー３０は、例えば、測定光をｘ方向に走査するガルバノミラーと、ｙ方向に走査するガルバノミラーと、これらを独立に駆動する機構とを含んで構成される。それにより、測定光でｘｙ平面上の任意の方向にスキャンすることができる。
【００５０】
（前置レンズ４１）
前置レンズ４１は、対物レンズ４０の焦点距離を変更するための光学部材である。前置レンズ４１は、被検眼Ｅに向かう光路に対して挿入／退避できるように構成されている。前置レンズ４１は、眼底のＯＣＴ計測を行うときには光路から退避され、前眼部のＯＣＴ計測を行うときには光路に配置される。この実施形態では、前置レンズ４１は、被検眼Ｅと対物レンズ４０との間で挿脱されるが、対物レンズ４０と合焦レンズ３１（又は光スキャナー３０）との間に配置されてもよい。被検眼Ｅと対物レンズ４０との間から前置レンズ４１が退避されているとき光スキャナー３０の共役位置は被検眼Ｅの瞳孔近傍に配置され、眼科装置１は、眼底をスキャンすることができる。被検眼Ｅと対物レンズ４０との間に前置レンズ４１が配置されているとき光スキャナー３０の共役位置は被検眼Ｅの前眼部とは異なる位置に移動され、眼科装置１は、前眼部をスキャンすることができる。
【００５１】
（プロセッサ５０）
プロセッサ５０は、各種の情報処理を実行する。プロセッサ５０は、例えば、記憶回路や記憶装置に格納されているプログラムを読み出して実行することで、実施形態に係る機能を実現する。記憶回路や記憶装置の少なくとも一部がプロセッサ５０に含まれていてよい。また、記憶回路や記憶装置の少なくとも一部がプロセッサ５０の外部に設けられていてよい。
【００５２】
プロセッサ５０は、制御部５１と、記憶部５２と、画像形成部５３と、データ処理部５４とを含む。いくつかの実施形態では、プロセッサ５０は、制御部５１、画像形成部５３、及びデータ処理部５４の機能を実現する１以上のプロセッサを含む。例えば、プロセッサ５０は、制御部５１の機能を実現する制御プロセッサと、画像形成部５３の機能を実現する画像形成プロセッサと、データ処理部５４の機能を実現するデータプロセッサとを含む。
【００５３】
（制御部５１）
制御部５１は、眼科装置１の各部の制御を実行する。特に、制御部５１は、光学系１０、第１駆動機構８０Ａ、及び第２駆動機構８０Ｂを制御する。
【００５４】
光学系１０に対する制御には、干渉光学系２０によるＯＣＴ計測を実行するための制御が含まれる。ＯＣＴ計測を実行するために、制御部５１は、被検眼Ｅにおける測定光ＬＳの投射位置を所定のスキャンパターンに従って移動させるように光スキャナー３０を制御することが可能である。スキャンパターンには、３次元スキャン、ラジアルスキャン、ラインスキャン、サークルスキャンなどがある。
【００５５】
また、制御部５１は、被検眼Ｅに対する光学系１０の位置合わせ（アライメント）を制御することが可能である。マニュアルアライメントの場合、制御部５１は、ユーザによるユーザインターフェイス部９０に対する操作を受け、第１駆動機構８０Ａ及び第２駆動機構８０Ｂの少なくとも一方を制御することで、光学系１０と被検眼Ｅとを相対移動させる。オートアライメントの場合、制御部５１は、光学系１０と被検眼Ｅとの相対位置に基づいて第１駆動機構８０Ａ及び第２駆動機構８０Ｂの少なくとも一方を制御することで、光学系１０と被検眼Ｅとを相対移動させる。例えば、図示しないアライメント光学系により被検眼Ｅにアライメント光を投射し、被検眼Ｅからの戻り光に基づいて形成される像と、被検眼Ｅの特徴位置との相対位置に基づき、制御部５１は、光学系１０と被検眼Ｅとを相対移動させることが可能である。
【００５６】
（記憶部５２）
記憶部５２は、各種のデータを記憶する。記憶部５２に記憶されるデータとしては、干渉光学系２０により取得されたデータ（測定データ、干渉光の検出結果等）や、被検者及び被検眼に関する情報などがある。記憶部５２には、眼科装置１を動作させるための各種のコンピュータプログラムやデータが記憶されていてよい。記憶部５２には、後述の処理において使用・参照される各種のデータが記憶される。記憶部５２は、前述の記憶回路や記憶装置を含む。
【００５７】
（画像形成部５３）
画像形成部５３は、干渉光学系２０により得られた干渉光ＬＣの検出結果に基づいて被検眼の断層像の画像データを形成する。具体的には、画像形成部５３は、検出器１２５からの検出信号をＤＡＱ１３０でサンプリングすることにより得られたサンプリングデータに基づいて、被検眼ＥのＯＣＴ画像（画像データ）を形成する。画像形成部５３により形成されるＯＣＴ画像には、Ａスキャン画像、Ｂスキャン画像（断層像）、Ｃスキャン画像などがある。この処理には、従来のスウェプトソースタイプのＯＣＴと同様に、ノイズ除去（ノイズ低減）、フィルタ処理、分散補償、ＦＦＴ（Ｆａｓｔ  Ｆｏｕｒｉｅｒ  Ｔｒａｎｓｆｏｒｍ）などの処理が含まれている。他のタイプのＯＣＴ装置の場合、画像形成部５３は、そのタイプに応じた公知の処理を実行する。
【００５８】
（データ処理部５４）
データ処理部５４は、各種のデータ処理を実行する。例えば、データ処理部５４は、画像形成部５３により形成された画像に対して各種の画像処理や解析処理を施す。例えば、データ処理部５４は、画像の輝度補正等の各種補正処理を実行する。具体的には、データ処理部５４は、干渉光学系２０により得られた干渉光の検出結果や画像形成部５３により形成された被検眼の画像を解析する。
【００５９】
データ処理部５４は、断層像の間の画素を補間する補間処理などの公知の画像処理を実行して、眼底Ｅｆ又は前眼部の３次元画像の画像データを形成する。なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、データ処理部５４は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。例えば、表示デバイスを含むＵＩ部９０等には、この擬似的な３次元画像が表示される。
【００６０】
また、３次元画像の画像データとして、複数の断層像のスタックデータを形成することも可能である。スタックデータは、複数のスキャンラインに沿って得られた複数の断層像を、スキャンラインの位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【００６１】
データ処理部５４は、取得された３次元データセット（ボリュームデータ、スタックデータ等）に各種のレンダリングを施すことで、任意断面におけるＢモード画像（縦断面像、軸方向断面像）、任意断面におけるＣモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像（ｅｎ−ｆａｃｅ画像）と呼ぶ。
【００６２】
データ処理部５４は、ＯＣＴにより時系列に収集されたデータ（例えば、Ｂスキャン画像データ）に基づいて、網膜血管や脈絡膜血管が強調されたＢモード画像や正面画像（血管強調画像、アンギオグラム）を構築することができる。例えば、被検眼Ｅの略同一部位を反復的にスキャンすることにより、時系列のＯＣＴデータを収集することができる。
【００６３】
いくつかの実施形態では、データ処理部５４は、略同一部位に対するＢスキャンにより得られた時系列のＢスキャン画像を比較し、信号強度の変化部分の画素値を変化分に対応した画素値に変換することにより当該変化部分が強調された強調画像を構築する。更に、データ処理部５４は、構築された複数の強調画像から所望の部位における所定の厚さ分の情報を抽出してｅｎ−ｆａｃｅ画像として構築することでＯＣＴＡ像を形成する。
【００６４】
データ処理部５４により生成された画像（例えば、３次元画像、Ｂモード画像、Ｃモード画像、プロジェクション画像、シャドウグラム、ＯＣＴＡ像）もまたＯＣＴ画像に含まれる。
【００６５】
更に、データ処理部５４は、ＯＣＴ計測により得られた干渉光ＬＣの検出結果を解析してフォーカス微調整制御における測定光のフォーカス状態を判定する。例えば、制御部５１は、合焦レンズ３１を光軸方向に移動する合焦駆動部を所定のアルゴリズムにしたがって制御しつつ、反復的なＯＣＴ計測を行う。データ処理部５４は、ＯＣＴ計測により繰り返し取得される干渉光の検出結果を解析することで、ＯＣＴ画像の画質に関する所定の評価値を算出する。データ処理部５４は、算出された評価値が閾値以下であるか否か判定する。いくつかの実施形態では、フォーカス微調整は、算出される評価値が閾値以下になるまで継続される。すなわち、評価値が閾値以下であるとき測定光のフォーカス状態が適正であると判断され、フォーカス微調整は、測定光のフォーカス状態が適正であると判断されるまで継続される。
【００６６】
いくつかの実施形態では、制御部５１は、上記のような反復的なＯＣＴ計測を行って干渉信号を取得しつつ、逐次に取得される干渉信号の強度（干渉強度、干渉感度）をモニタする。更に、このモニタ処理を行いながら、上記の合焦レンズを移動させることにより、干渉強度が最大となるような合焦レンズ３１の位置を探索する。このようなフォーカス微調整によれば、干渉強度が最適化されるような位置に合焦レンズ３１を導くことができる。
【００６７】
また、データ処理部５４は、ＯＣＴ計測により得られた干渉光ＬＣの検出結果を解析して、測定光及び参照光の少なくとも一方の偏波状態を判定する。例えば、制御部５１は、偏波コントローラ１０３、１１８の少なくとも一方を所定のアルゴリズムにしたがって制御しつつ、反復的なＯＣＴ計測を行う。いくつかの実施形態では、制御部５１は、アッテネータ１２０を制御して、参照光ＬＲの減衰量を変更する。データ処理部５４は、ＯＣＴ計測により繰り返し取得される干渉光ＬＣの検出結果を解析することで、ＯＣＴ画像の画質に関する所定の評価値を算出する。データ処理部５４は、算出された評価値が閾値以下であるか否か判定する。この閾値はあらかじめ設定される。偏波調整は、算出される評価値が閾値以下になるまで継続される。すなわち、評価値が閾値以下であるとき測定光ＬＳの偏波状態が適正であると判断され、偏波調整は、測定光ＬＳの偏波状態が適正であると判断されるまで継続される。
【００６８】
いくつかの実施形態では、制御部５１は、偏波調整においても干渉強度をモニタすることが可能である。
【００６９】
データ処理部５４は、取得された干渉光ＬＣの検出結果や画像を解析するための解析部３００が設けられている。
【００７０】
（解析部３００）
解析部３００は、少なくとも被検眼Ｅの瞬きの発生又は固視ずれ等の有無を判定するための解析処理を行うことができる。このような解析処理を行うための構成の一例として、解析部３００には、瞬き判定部３１０が設けられている。瞬き判定部３１０は、取得された干渉光ＬＣの検出結果に基づいて、被検眼Ｅの瞬きの発生又は固視ずれ等の有無を判定する。
【００７１】
図３に、実施形態に係る解析部３００の構成例のブロック図を示す。
【００７２】
解析部３００は、瞬き判定部３１０を含む。瞬き判定部３１０は、取得された干渉光ＬＣの検出結果に基づく測定光のスキャン方向の輝度プロファイルに基づいて、被検眼Ｅの瞬きの発生又は固視ずれ等の有無を判定する。
【００７３】
（瞬き判定部３１０）
瞬き判定部３１０は、プロファイルデータ生成部３１１と、勾配算出部３１２と、勾配判定部３１３とを含む。
【００７４】
（プロファイルデータ生成部３１１）
図４及び図５に、実施形態に係る瞬き判定部３１０の動作説明図を示す。図４は、後述の積算方向ＤＲを説明するために、便宜上、被検眼Ｅの眼底Ｅｆのプロジェクション画像ＩＭＧを表す。
【００７５】
プロファイルデータ生成部３１１は、Ｂスキャン方向の輝度プロファイルを、Ｂスキャン方向に交差（直交）する積算方向ＤＲに積算した積算プロファイルデータを生成する。
【００７６】
いくつかの実施形態では、プロファイルデータ生成部３１１は、図４に示すように、データ処理部５４により生成されたプロジェクション画像の画像データからＢスキャン方向の輝度プロファイルを特定し、特定された複数のＢスキャン方向の輝度プロファイルを積算方向ＤＲに積算することにより積算プロファイルデータを生成する。例えば、プロファイルデータ生成部３１１は、図４のプロジェクション画像ＩＭＧのｘ方向の輝度プロファイルを、プロジェクション画像ＩＭＧのｙ方向に相当する積算方向ＤＲに積算することにより、図７に示すような積算プロファイルデータを生成する。
【００７７】
いくつかの実施形態では、プロファイルデータ生成部３１１は、検出器１２５により得られた検出結果に基づくスペクトル分布にフーリエ変換等を施すことにより取得された各Ａラインの反射強度プロファイルからＢスキャン方向の輝度プロファイルを生成する。例えば、反射強度プロファイルにおける所定の層領域（又は、ｚ方向の全層領域）に対応する反射強度値を積算することによりＡスキャン位置の輝度値を求め、Ｂスキャン方向にデータセットを形成することで、Ｂスキャン方向の輝度プロファイルが生成される。プロファイルデータ生成部３１１は、生成された複数のＢスキャン方向の輝度プロファイルを積算方向ＤＲに積算することにより積算プロファイルデータを生成する。
【００７８】
（勾配算出部３１２）
勾配算出部３１２は、ｘ方向の１以上の位置（画素位置、スキャン位置）における積算プロファイルの勾配を算出する。図５に例示するように、横軸にｘ方向の位置を表し、縦軸に積算値を表すと、積算プロファイルは、ｘ方向の各位置における積算値を表す。
【００７９】
いくつかの実施形態では、勾配算出部３１２は、ｘ方向（Ｂスキャン方向）のすべての位置において積算プロファイルの勾配を算出する。いくつかの実施形態では、勾配算出部３１２は、所定の間隔をあけたＢスキャン方向の２以上の位置における積算プロファイルの勾配を算出する。
【００８０】
（勾配判定部３１３）
勾配判定部３１３は、瞬きの発生に起因するアーチファクトが描出される位置において積算プロファイルの勾配が急峻になることに着目して、勾配算出部３１２により算出された勾配から瞬きの発生の有無を判定する。例えば、勾配判定部３１３は、勾配算出部３１２により算出された２以上の位置における勾配の代表値を特定する。勾配判定部３１３は、特定された代表値が所定の第１閾値以上であるとき瞬きが発生した画像であると判定し、特定された代表値が所定の第１閾値未満であるとき瞬きが発生していない画像であると判定する。代表値として、勾配の絶対値の最大値、勾配の絶対値の平均値、勾配の絶対値の中央値、勾配の絶対値の最頻値などがある。
【００８１】
また、勾配判定部３１３は、積算プロファイルの勾配が急峻になるほど固視ずれの可能性が高くなることに着目して、勾配算出部３１２により算出された勾配から固視ずれの有無を判定することが可能である。この場合も、勾配判定部３１３は、勾配算出部３１２により算出された２以上の位置における勾配の代表値が所定の第２閾値以上であるとき固視ずれが発生した画像であると判定し、特定された代表値が所定の第２閾値未満であるとき固視ずれが発生していない画像であると判定する。第２閾値は、第１閾値と異なる値であってよい。また、第２閾値は、第１閾値と同じ値であってよい。
【００８２】
（顔支持部７０）
顔支持部７０は、被検者の顔を支持するための部材を含む。例えば、顔支持部７０は、被検者の額が当接される額当てと、被検者の顎が載置される顎受けとを含む。なお、顔支持部７０は、額当て及び顎受けのいずれか一方のみを備えてもよく、これら以外の部材を備えてもよい。
【００８３】
（第１駆動機構８０Ａ、第２駆動機構８０Ｂ）
第１駆動機構８０Ａは、制御部５１による制御を受けて光学系１０を移動する。第１駆動機構８０Ａは、光学系１０を３次元的に移動可能である。第１駆動機構８０Ａは、例えば、従来と同様に、光学系１０をｘ方向に移動させるための機構と、ｙ方向に移動させるための機構と、ｚ方向に移動させるための機構とを含む。第１駆動機構８０Ａは、ｘ方向、ｙ方向及びｚ方向に移動させるための機構を駆動する複数のステッピングモータ等（駆動手段）を含む。例えば、制御部５１は、ステッピングモータに対して所定のパルス数の駆動信号を供給することで、当該パルス数に対応した移動量だけ光学系１０を移動させることができる。
【００８４】
第２駆動機構８０Ｂは、制御部５１による制御を受けて顔支持部７０を移動する。第２駆動機構８０Ｂは、顔支持部７０を３次元的に移動可能である。第２駆動機構８０Ｂは、例えば、第１駆動機構８０Ａと同様の機構を含む。なお、前述したように、一般に、第１駆動機構８０Ａ及び第２駆動機構８０Ｂの少なくとも一方が設けられる。また、第１駆動機構８０Ａが光学系１０を３次元的に移動し、第２駆動機構８０Ｂが顔支持部７０を上下方向のみに移動するようにしてもよい。
【００８５】
（ユーザインターフェイス部９０）
ユーザインターフェイス部９０は、情報の表示、情報の入力、操作指示の入力など、眼科装置１とそのユーザとの間で情報をやりとりするための機能を提供する。ユーザインターフェイス部９０は、出力機能と入力機能とを提供する。出力機能を提供する構成の例として、フラットパネルディスプレイ等の表示装置や、音声出力装置や、印刷出力装置や、記録媒体への書き込みを行うデータライタなどがある。入力機能を提供する構成の例として、操作レバー、ボタン、キー、ポインティングデバイス、マイクロフォン、データライタなどがある。ユーザインターフェイス部９０は、タッチパネルディスプレイのような出力機能と入力機能とが一体化されたデバイスを含んでよい。また、ユーザインターフェイス部９０は、情報の入出力を行うためのグラフィカルユーザインターフェイス（ＧＵＩ）を含んでよい。
【００８６】
光学系１０（及び画像形成部５３、データ処理部５４）は、実施形態に係る「取得部」の一例である。瞬き判定部３１０は、実施形態に係る「判定部」の一例である。
【００８７】
［動作］
実施形態に係る眼科装置１の動作について説明する。
【００８８】
図６に、実施形態に係る眼科装置１の動作例を示す。図６は、実施形態に係る眼科装置１の動作例のフローチャートを表す。記憶部５２には、図６に示す処理を実現するためのコンピュータプログラムが記憶されている。制御部５１は、このコンピュータプログラムに従って動作することにより、図６に示す処理を実行する。
【００８９】
（Ｓ１：アライメント）
制御部５１は、アライメントを実行する。
【００９０】
すなわち、制御部５１は、ユーザによるユーザインターフェイス部９０に対する操作を受け、第１駆動機構８０Ａ及び第２駆動機構８０Ｂの少なくとも一方を制御することで、光学系１０と被検眼Ｅとを相対移動させる（マニュアルアライメント）。また、オートアライメントを行う場合、制御部５１は、図示しないアライメント光学系を制御して、被検眼Ｅにアライメント指標を投影させる。このとき、被検眼Ｅには、図示しない固視光学系による固視標も投影される。制御部５１は、被検眼Ｅからの戻り光に基づいて形成される像と、被検眼Ｅの特徴位置との相対位置に基づき、第１駆動機構８０Ａ及び第２駆動機構８０Ｂの少なくとも一方を制御することで、光学系１０と被検眼Ｅとを相対移動させる。制御部５１は、この処理を繰り返し実行させる。
【００９１】
（Ｓ２：調整用断層像を取得）
制御部５１は、例えば、図示しない固視光学系による所望の固視位置に被検眼Ｅを固視させた状態で、ＯＣＴユニット１００を制御してＯＣＴ仮計測を実行させ、深さ方向の計測範囲の基準位置を調整するための調整用断層像を取得させる。
【００９２】
具体的には、制御部５１は、光スキャナー３０を制御することにより、光源ユニット１０１から出射された光Ｌ０に基づいて生成された測定光ＬＳを偏向し、偏向された測定光ＬＳで被検眼Ｅの所定部位（例えば眼底Ｅｆ）をスキャンさせる。測定光ＬＳのスキャンにより得られた干渉光の検出結果は、クロックＫＣに同期してサンプリングされた後、画像形成部５３に送られる。画像形成部５３は、得られた干渉信号から被検眼Ｅの断層像（ＯＣＴ画像）を形成する。
【００９３】
（Ｓ３：深さ方向の基準位置を調整）
続いて、制御部５１は、深さ方向（ｚ方向）の計測範囲の基準位置を調整する。
【００９４】
例えば、制御部５１は、ステップＳ２において得られた断層像における所定の部位（例えば、強膜）をデータ処理部５４に特定させ、特定された所定の部位の位置に対して深さ方向に所定の距離だけ離れた位置を計測範囲の基準位置として設定する。また、測定光ＬＳと参照光ＬＲの光路長が略一致するようにあらかじめ決められた所定の位置が計測範囲の基準位置として設定されてもよい。
【００９５】
（Ｓ４：フォーカス調整、偏波調整）
次に、制御部５１は、フォーカス調整制御及び偏波調整制御を実行する。
【００９６】
例えば、制御部５１は、合焦レンズ３１を移動させる合焦駆動部を制御して合焦レンズ３１を所定の距離だけ移動させた後、ＯＣＴユニット１００を制御してＯＣＴ計測を実行させる。制御部５１は、上記のように、ＯＣＴ計測により得られた干渉光の検出結果に基づいて測定光ＬＳのフォーカス状態をデータ処理部５４に判定させる。データ処理部５４による判定結果に基づいて測定光ＬＳのフォーカス状態が適正ではないと判断されたとき、制御部５１は、再び合焦駆動部の制御を行い、フォーカス状態が適正であると判断されるまで繰り返す。
【００９７】
また、例えば、制御部５１は、偏波コントローラ１０３、１１８の少なくとも一方を制御して光Ｌ０及び測定光ＬＳの少なくとも一方の偏波状態を所定の量だけ変更した後、ＯＣＴユニット１００を制御してＯＣＴ計測を実行させ、取得された干渉光の検出結果に基づくＯＣＴ画像を画像形成部５３に形成させる。制御部５１は、上記のように、ＯＣＴ計測により得られたＯＣＴ画像の画質をデータ処理部５４に判定させる。データ処理部５４による判定結果に基づいて測定光ＬＳの偏波状態が適正ではないと判断されたとき、制御部５１は、再び偏波コントローラ１０３、１１８の制御を行い、偏波状態が適正であると判断されるまで繰り返す。
【００９８】
（Ｓ５：ＯＣＴ計測）
続いて、制御部５１は、ＯＣＴユニット１００を制御してＯＣＴ計測を実行させる。当該ＯＣＴ計測により取得された干渉光の検出結果は、ＤＡＱ１３０においてサンプリングされ、干渉信号として記憶部５２等に保存される。
【００９９】
いくつかの実施形態では、ステップＳ５において、制御部５１は、画像形成部５３を制御することにより、当該ＯＣＴ計測により取得された干渉光の検出結果に基づいて被検眼Ｅの画像を形成させる。
【０１００】
（Ｓ６：判定処理）
次に、制御部５１は、瞬き判定部３１０を制御することにより、ステップＳ５において取得された干渉光の検出結果又は画像に対して判定処理を実行させる。瞬き判定部３１０は、上記のように、ステップＳ５において取得された干渉光の検出結果又は画像に基づいて、瞬きの発生又は固視ずれの有無を判定する。
【０１０１】
（Ｓ７：再計測？）
制御部５１は、ステップＳ５における判定処理の判定結果に基づいて再計測を行うか否かを判定する。
【０１０２】
ステップＳ６において瞬き判定部３１０により瞬きの発生又は固視ずれがあると判定されたとき（Ｓ７：Ｙ）、眼科装置１の操作はステップＳ５に移行する。ステップＳ６において瞬き判定部３１０により瞬きの発生又は固視ずれがないと判定されたとき（Ｓ７：Ｎ）、眼科装置１の操作はステップＳ８に移行する。
【０１０３】
いくつかの実施形態では、ステップＳ７からステップＳ５に移行するとき、制御部５１は、再計測を行うことをユーザに報知する。ユーザの報知には、ＵＩ部９０による再計測を行うことを表す情報の表示、再計測を行うことを表す音の出力などがある。いくつかの実施形態では、ステップＳ７からステップＳ５に移行したときのＯＣＴ再計測では、瞬き又は固視ずれの発生を抑えるように撮影条件が変更される（例えば、撮影レート、撮影タイミングの変更）。いくつかの実施形態では、ステップＳ７からステップＳ５に移行したときのＯＣＴ再計測により得られた計測結果（画像）には、再計測であることを表す情報が付加される。
【０１０４】
（Ｓ８：次？）
続いて、制御部５１は、ＯＣＴ計測を継続するか否かを判定する。制御部５１は、ＵＩ部９０に対するユーザの操作内容又はあらかじめ設定された動作モードの内容に応じてＯＣＴ計測を継続するか否かを判定する。
【０１０５】
ＯＣＴ計測を継続すると判定されたとき（Ｓ８：Ｙ）、眼科装置１の動作はステップＳ９に移行する。ＯＣＴ計測を継続しないと判定されたとき（Ｓ８：Ｎ）、眼科装置１の動作は終了である（エンド）。
【０１０６】
（Ｓ９：アライメント？）
ステップＳ８においてＯＣＴ計測を継続すると判定されたとき（Ｓ８：Ｙ）、制御部５１は、ＯＣＴ計測の前にアライメントを再実行するか否かを判定する。制御部５１は、ＵＩ部９０に対するユーザの操作内容、あらかじめ設定された動作モードの内容、又は図示しない検出手段により検出された被検眼Ｅと光学系との位置関係に応じて再アライメントを実行するか否かを判定する。
【０１０７】
アライメントを再実行すると判定されたとき（Ｓ９：Ｙ）、眼科装置１の動作はステップＳ１に移行する。アライメントを再実行しないと判定されたとき（Ｓ９：Ｎ）、眼科装置１の動作はステップＳ５に移行する。
【０１０８】
以上説明したように、ＯＣＴ計測により得られた干渉光ＬＣの検出結果から求められた輝度プロファイル（積算プロファイル）に基づいて被検眼Ｅの瞬きの発生又は固視ずれの有無を判定するようにしたので、瞬きの発生等の有無を簡素な処理で判定することができる。それにより、ＯＣＴを実行して被検眼のデータを取得した直後に、取得されたデータに対する解析（診断）の適否を判定して再撮影（再計測）の要否を簡便に判断することが可能になるため、解析に適したデータ（画像）を効率的に取得することができるようになる。
【０１０９】
［効果］
実施形態に係る眼科装置、眼科装置の制御方法、及びプログラムについて説明する。
【０１１０】
いくつかの実施形態に係る眼科装置（１）は、取得部（光学系１０（及び画像形成部５３、データ処理部５４））と、判定部（瞬き判定部３１０）とを含む。取得部は、被検眼（Ｅ）に対して光コヒーレンストモグラフィを実行することにより被検眼のデータ（ＯＣＴデータ）を取得する。判定部は、取得部により取得されたデータに基づいて被検眼の瞬きの発生又は固視ずれの有無を判定する。
【０１１１】
このような構成によれば、被検眼の前眼部を観察するための前眼部観察系を設けることなく被検眼の瞬きの発生等の有無を簡素な処理で簡便に判定することが可能になる。
【０１１２】
いくつかの実施形態に係る眼科装置では、取得部は、光スキャナー（３０）を含み、光源（光源ユニット１０１）からの光（Ｌ０）を参照光（ＬＲ）と測定光（ＬＳ）とに分割し、光スキャナーにより偏向された測定光を被検眼に照射し、参照光と測定光の戻り光との干渉光（ＬＣ）を検出する干渉光学系（２０）を含み、判定部は、干渉光の検出結果に基づく測定光によるスキャン方向（Ｂスキャン方向）の輝度プロファイルに基づいて被検眼の瞬きの発生又は固視ずれの有無を判定する。
【０１１３】
このような構成によれば、被検眼に対してＯＣＴを実行することにより得られた輝度プロファイルに基づいて被検眼の瞬きの発生又は固視ずれの有無を判定することができるので、被検眼の瞬きの発生等を判定可能な眼科装置の構成を簡素化することができる。
【０１１４】
いくつかの実施形態に係る眼科装置は、スキャン方向に交差する積算方向（ＤＲ）に輝度プロファイルを積算することにより積算プロファイルを生成するプロファイルデータ生成部（３１１）を含み、判定部は、積算プロファイルに基づいて被検眼の瞬きの発生又は固視ずれの有無を判定する。
【０１１５】
このような構成によれば、輝度プロファイルから積算プロファイルを生成し、生成されたプロファイルから被検眼の瞬きの発生又は固視ずれの有無を判定するようにしたので、簡素な処理で高精度に被検眼の瞬きの発生等の有無を簡便に判定することが可能になる。
【０１１６】
いくつかの実施形態に係る眼科装置は、プロファイルデータ生成部により生成された積算プロファイルの勾配を算出する勾配算出部（３１２）を含み、判定部は、勾配算出部により算出された勾配に基づいて被検眼の瞬きの発生又は固視ずれの有無を判定する。
【０１１７】
このような構成によれば、積算プロファイルの勾配を算出し、算出された勾配から被検眼の瞬きの発生又は固視ずれの有無を判定するようにしたので、簡素な処理で高精度に被検眼の瞬きの発生等の有無を簡便に判定することが可能になる。
【０１１８】
いくつかの実施形態に係る眼科装置では、勾配算出部は、スキャン方向の複数の位置のそれぞれにおいて勾配を算出し、判定部は、勾配算出部により算出された複数の勾配の統計値に基づいて被検眼の瞬きの発生又は固視ずれの有無を判定する。
【０１１９】
このような構成によれば、積算プロファイルの勾配の統計値を算出し、算出された勾配の統計値から被検眼の瞬きの発生又は固視ずれの有無を判定するようにしたので、簡素な処理で高精度に被検眼の瞬きの発生等の有無を簡便に判定することが可能になる。
【０１２０】
いくつかの実施形態に係る眼科装置は、判定部により被検眼の瞬きの発生又は固視ずれがあったと判定されたとき、取得部を制御することにより被検眼のデータの再取得を実行させる制御部（５１）を含む。
【０１２１】
このような構成によれば、簡素な処理で被検眼の瞬きの発生又は固視ずれの有無を判定し、その判定結果に基づいて被検眼のデータの再取得を実行するようにしたので、被検眼のデータを取得した直後に、取得されたデータに対する解析（診断）の適否を判定して再取得の要否を簡便に判断することが可能になる。それにより、解析に適したデータを効率的に取得することができるようになる。
【０１２２】
いくつかの実施形態に係る眼科装置（１）の制御方法は、取得ステップと、判定ステップとを含む。取得ステップは、被検眼（Ｅ）に対して光コヒーレンストモグラフィを実行することにより被検眼（Ｅ）のデータを取得する。判定ステップは、取得ステップにおいて取得されたデータに基づいて被検眼の瞬きの発生又は固視ずれの有無を判定する。
【０１２３】
このような方法によれば、被検眼の前眼部を観察するための前眼部観察系を設けることなく被検眼の瞬きの発生等の有無を簡素な処理で簡便に判定することが可能になる。
【０１２４】
いくつかの実施形態に係る眼科装置の制御方法では、取得ステップは、光源（光源ユニット１０１）からの光（Ｌ０）を参照光（ＬＲ）と測定光（ＬＳ）とに分割し、光スキャナー（３０）により偏向された測定光を被検眼に照射し、参照光と測定光の戻り光との干渉光（ＬＣ）を検出することにより被検眼のデータを取得し、判定ステップは、干渉光の検出結果に基づく測定光によるスキャン方向の輝度プロファイルに基づいて被検眼の瞬きの発生又は固視ずれの有無を判定する。
【０１２５】
このような方法によれば、被検眼に対してＯＣＴを実行することにより得られた輝度プロファイルに基づいて被検眼の瞬きの発生又は固視ずれの有無を判定することができるので、被検眼の瞬きの発生等を判定可能な眼科装置の構成を簡素化することができる。
【０１２６】
いくつかの実施形態に係る眼科装置の制御方法は、スキャン方向に交差する積算方向（ＤＲ）に輝度プロファイルを積算することにより積算プロファイルを生成するプロファイルデータ生成ステップを含み、判定ステップは、積算プロファイルに基づいて被検眼の瞬きの発生又は固視ずれの有無を判定する。
【０１２７】
このような方法によれば、輝度プロファイルから積算プロファイルを生成し、生成されたプロファイルから被検眼の瞬きの発生又は固視ずれの有無を判定するようにしたので、簡素な処理で高精度に被検眼の瞬きの発生等の有無を簡便に判定することが可能になる。
【０１２８】
いくつかの実施形態に係る眼科装置の制御方法は、プロファイルデータ生成ステップにおいて生成された積算プロファイルの勾配を算出する勾配算出ステップを含み、判定ステップは、勾配算出ステップにおいて算出された勾配に基づいて被検眼の瞬きの発生又は固視ずれの有無を判定する。
【０１２９】
このような方法によれば、積算プロファイルの勾配を算出し、算出された勾配から被検眼の瞬きの発生又は固視ずれの有無を判定するようにしたので、簡素な処理で高精度に被検眼の瞬きの発生等の有無を簡便に判定することが可能になる。
【０１３０】
いくつかの実施形態に係る眼科装置の制御方法では、勾配算出ステップは、スキャン方向の複数の位置のそれぞれにおいて勾配を算出し、判定ステップは、勾配算出ステップにおいて算出された複数の勾配の統計値に基づいて被検眼の瞬きの発生又は固視ずれの有無を判定する。
【０１３１】
このような方法によれば、積算プロファイルの勾配の統計値を算出し、算出された勾配の統計値から被検眼の瞬きの発生又は固視ずれの有無を判定するようにしたので、簡素な処理で高精度に被検眼の瞬きの発生等の有無を簡便に判定することが可能になる。
【０１３２】
いくつかの実施形態に係る眼科装置の制御方法は、判定ステップにおいて被検眼の瞬きの発生又は固視ずれがあったと判定されたとき、被検眼に光コヒーレンストモグラフィを再実行させることにより被検眼の新たなデータを取得させる制御ステップを含む。
【０１３３】
このような方法によれば、簡素な処理で被検眼の瞬きの発生又は固視ずれの有無を判定し、その判定結果に基づいて被検眼のデータの再取得を実行するようにしたので、被検眼のデータを取得した直後に、取得されたデータに対する解析（診断）の適否を判定して再取得の要否を簡便に判断することが可能になる。それにより、解析に適したデータを効率的に取得することができるようになる。
【０１３４】
いくつかの実施形態に係るプログラムは、コンピュータに、上記のいずれかに記載の眼科装置の制御方法の各ステップを実行させる。
【０１３５】
このようなプログラムによれば、被検眼の前眼部を観察するための前眼部観察系を設けることなく被検眼の瞬きの発生等の有無を簡素な処理で簡便に判定することが可能になる。
【０１３６】
＜その他＞
上記の実施形態では、主として、被検眼Ｅの眼底Ｅｆに対してＯＣＴを実行することにより得られたデータ（画像）に基づいて瞬きの発生等の有無を判定する場合について説明したが、実施形態に係る構成はこれに限定されるものではない。上記の実施形態は、前眼部等の被検眼Ｅの任意の部位に対してＯＣＴを実行する場合に適用することが可能である。
【０１３７】
以上に示された実施形態は、この発明を実施するための一例に過ぎない。この発明を実施しようとする者は、この発明の要旨の範囲内において任意の変形、省略、追加等を施すことが可能である。
【０１３８】
いくつかの実施形態では、上記の眼科装置の制御方法をコンピュータに実行させるためのプログラムが提供される。このようなプログラムを、コンピュータによって読み取り可能な任意の記録媒体に記憶させることができる。この記録媒体としては、たとえば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、インターネットやＬＡＮ等のネットワークを通じてこのプログラムを送受信することも可能である。
【符号の説明】
【０１３９】
１  眼科装置
１０  光学系
２０  干渉光学系
３０  光スキャナー
３１  合焦レンズ
４０  対物レンズ
４１  前置レンズ
５０  プロセッサ
５１  制御部
５２  記憶部
５３  画像形成部
５４  データ処理部
３００  解析部
３１０  瞬き判定部
３１１  プロファイルデータ生成部
３１２  勾配算出部
３１３  勾配判定部
Ｅ  被検眼
【図１】
2020103440.tif 000003
【図２】
2020103440.tif 000004
【図３】
2020103440.tif 000005
【図４】
2020103440.tif 000006
【図５】
2020103440.tif 000007
【図６】
2020103440.tif 000008